(57)【要約】【課題】床の遮音性能を損なうことがなく、しかも、隙間を生じさせることもない幅木構造を提供する。【解決手段】床側幅木材４と壁側幅木材５と中間幅木材６とが備えられ、中間幅木材６は、床側幅木材４と壁側幅木材５とに、床側幅木材に対して上下方向に移動可能で、かつ、壁側幅木材に対して上下方向に移動可能となるように係合保持されている。そして、中間幅木材６は、クッション性を備えた保持材７によって、床側幅木材に対して上下両方向に移動可能でかつ壁側幅木材に対して上下両方向に移動可能となるような中間高さ位置に保持されている。また、床側幅木材と壁面との間にゴム状弾性材が介設され、中間幅木材と壁面との間にゴム状弾性材が介設されているとよい。【選択図】      図１
2005105689.tif 000002
【特許請求の範囲】
【請求項１】
床面側に固定された床側幅木材と、
壁面側に固定された壁側幅木材と、
これら両幅木材に、床側幅木材に対して上下方向に移動可能で、かつ、壁側幅木材に対して上下方向に移動可能となるように係合保持された中間幅木材と
が備えられ、
該中間幅木材を、床側幅木材に対して上下両方向に移動可能でかつ壁側幅木材に対して上下両方向に移動可能となるような中間高さ位置に保持するクッション性を備えた保持材が備えられていることを特徴とする遮音床用の幅木構造。
【請求項２】
前記床側幅木材と壁面との間にゴム状弾性材が介設されている請求項１に記載の遮音床用の幅木構造。
【請求項３】
前記中間幅木材と壁面との間にゴム状弾性材が介設されている請求項１又は２に記載の遮音床用の幅木構造。
【請求項４】
床面側に固定された床側幅木材と、
壁面側に固定された壁側幅木材と、
が備えられ、床側幅木材と壁面との間にゴム状弾性材が介設されていることを特徴とする遮音床用の幅木構造。
【請求項５】
床面側に固定された床側幅木材と、
壁面側に固定された壁側幅木材と、
これら両幅木材に、床側幅木材に対して上下方向に移動可能で、かつ、壁側幅木材に対して上下方向に移動可能となるように係合保持された中間幅木材と
が備えられていることを特徴とする遮音床用の幅木構造。
【発明の詳細な説明】
【技術分野】
【０００１】
本発明は、遮音床用の幅木構造に関する。
【背景技術】
【０００２】
浮き床あるいは二重床などの称される遮音床では、床を上下に変位させて衝撃を吸収するようになされるため、壁付近の床においても床が上下に自由に変位できるように壁と絶縁される。そのため、床と壁の境界部分に設置される幅木について、これをいかなる構成態様で設置すべきかが問題となる。即ち、幅木を床と壁の両方に固定すると、床の上下の変位が壁によって妨げられ、十分な遮音性能が得られなくなるし、幅木を壁に固定し床に対してはフリーにすると、幅木と床面との間に大きな隙間を生じさせてしまう。
【０００３】
ところで、遮音性能とは無関係に、壁際に家具等の重量物を置いたときの床の沈みによる隙間発生を隠す目的で、幅木を、壁側に固定する壁側幅木材と、床側に固定する床側幅木材の二つに分割した、いわゆる二段幅木が提供されている。
【発明の開示】
【発明が解決しようとする課題】
【０００４】
しかしながら、本発明者は、上記のような沈み対応の二段幅木を用いた場合の遮音性能について実験と考察を行った結果、これを遮音床の幅木としてそのまま採用しても、床の遮音性能にあまり効果はないことを確認した。
【０００５】
即ち、床の沈みによる隙間発生を目的とする二段幅木は、確かに、床と壁とを絶縁する作用を行うものではあるが、設置状態において、床側幅木材と壁側幅木材とが接触状態となってしまうことがある。そのため、そのような接触状態において、床側幅木材は、重量物の設置による床の沈みに対しては壁側幅木材を滑ることができるけれども、遮音の場合のような瞬時の動きには追従しにくく滑りにくい場合があるのであった。
【０００６】
また、施工上の理由などから、床側幅木材は壁面に接触するように設置されるのが一般的である。そのため、床側幅木材は、重量物の設置による床の沈みに対しては壁を滑って隙間を隠そうとする作用を行うけれども、遮音の場合のような瞬時の動きには追従しにくく、滑りにくい場合があるのであった。
【０００７】
本発明は、上記のような調査と研究、そして事実解明に基づいてなされたものであって、床の遮音性能を損なうことがなく、しかも、隙間を生じさせることもない幅木構造を提供することを課題とする。
【課題を解決するための手段】
【０００８】
上記の課題は、床面側に固定された床側幅木材と、
壁面側に固定された壁側幅木材と、
これら両幅木材に、床側幅木材に対して上下方向に移動可能で、かつ、壁側幅木材に対して上下方向に移動可能となるように係合保持された中間幅木材と
が備えられ、
該中間幅木材を、床側幅木材に対して上下両方向に移動可能でかつ壁側幅木材に対して上下両方向に移動可能となるような中間高さ位置に保持するクッション性を備えた保持材が備えられていることを特徴とする遮音床用の幅木構造によって解決される。
【０００９】
この幅木構造では、床側幅木材と壁側幅木材のほか、中間幅木材が備えられているので、この中間幅木材の作用によって、床側幅木材と中間幅木材、及び、壁側幅木材と中間幅木材をそれぞれ滑りやすいものにすることができやすく、幅木が床の遮音性能を損なわせるのを防ぐことができる。
【００１０】
仮に、床側幅木材と中間幅木材とが接触して滑りにくい場合であっても、壁側幅木材と中間幅木材とが上下に相対変位をして床の遮音性能を妨げることはないし、また、壁側幅木材と中間幅木材とが接触して滑りにくい場合であっても、床側幅木材と中間幅木材とが上下に相対変位をして床の遮音性能を妨げることもない。このように、この発明の幅木構造は、床側幅木材と中間幅木材、又は、壁側幅木材と中間幅木材幅木が滑りにくく場合であっても、床の遮音性能を損わせるのを確実性高く防ぐことができる。
【００１１】
もちろん、床側幅木材と中間幅木材とが滑りにくく、壁側幅木材と中間幅木材とが滑りにくい場合も可能性としてあろうけれども、それは確率の問題であって、従来の二段幅木に比べれば、幅木が床の遮音性能を損わせるのを確実に防ぐことができる。
【００１２】
しかも、幅木を分割構造にしたのは、そもそも隙間を生じさせないようにするためであり、床側幅木材と壁側幅木材と中間幅木材との分割構造によって隙間を生じるのを防ぐことができる。
【００１３】
上記の幅木構造において、床側幅木材と壁面との間にゴム状弾性材が介設されているとよい。この場合は、床側幅木材が壁面に対して接触状態ないしは押付け状態に施工されているときであっても、床側幅木材と壁面との間にはゴム状弾性材が介設されているので、このゴム状弾性材が変形することによって床側幅木材が壁面に対して上下方向に変位することができ、幅木が床の遮音性能を損わせるのを防ぐことができる。
【００１４】
また、中間幅木材と壁面との間にゴム状弾性材が介設されている場合は、中間幅木材が壁面に対して接触状態ないしは押付け状態となっているときであっても、中間幅木材と壁面との間にはゴム状弾性材が介設されているので、このゴム状弾性材が変形することによって中間幅木材が壁面に対して上下方向に変位することができ、幅木が床の遮音性能を損わせるのを防ぐことができる。
【００１５】
更に、上記の課題は、床面側に固定された床側幅木材と、
壁面側に固定された壁側幅木材と、
が備えられ、床側幅木材と壁面との間にゴム状弾性材が介設されていることを特徴とする遮音床用の幅木構造によっても解決される。
【００１６】
この構造では、床側幅木材と壁側幅木材との分割によって、隙間を生じるのを防ぐことができるのはもちろん、床側幅木材が壁面に対して接触状態ないしは押付け状態に施工されているときであっても、床側幅木材と壁面との間にはゴム状弾性材が介設されているので、このゴム状弾性材が変形することによって床側幅木材が壁面に対して上下方向に変位することができ、幅木が床の遮音性能を損わせるのを防ぐことができる。
【００１７】
また、上記の課題は、床面側に固定された床側幅木材と、
壁面側に固定された壁側幅木材と、
これら両幅木材に、床側幅木材に対して上下方向に移動可能で、かつ、壁側幅木材に対して上下方向に移動可能となるように係合保持された中間幅木材と
が備えられていることを特徴とする遮音床用の幅木構造によっても解決される。
【００１８】
即ち、このような構造であっても、床の遮音動作中、中間幅木材の作用によって、床側幅木材と中間幅木材が滑りにくくても、壁側幅木材と中間幅木材とが滑り、また、壁側幅木材と中間幅木材とが滑りにくくても、床側幅木材と中間幅木材が滑るというようにして、幅木が床の遮音性能を損なわせるのを防ぐことができる。
【発明の効果】
【００１９】
本発明の幅木構造は、以上のとおりのものであるから、床の遮音性能を損なうことがなく、しかも、隙間を生じさせることもない。
【発明を実施するための最良の形態】
【００２０】
次に、本発明の実施最良形態を図面に基づいて説明する。
【００２１】
図１〜図３に示す第１実施形態の幅木構造において、１は二重床などによる遮音床、２は壁、３は幅木であり、床１と壁２とは、図１に示すように、壁２が床１の遮音性能を妨げることがないように絶縁されている。そして、床１と壁２との境界部に備えられる幅木３には、床１側に固定されて壁面２ａに沿って立ち上がる床側幅木材４と、壁２側に固定される壁側幅木材５と、中間幅木材６とが備えられ、これらは、例えば金属や樹脂、木等で形成される。
【００２２】
中間幅木材６は、床側幅木材４と壁側幅木材５とに、床側幅木材に対して上下方向に移動可能で、かつ、壁側幅木材５に対して上下方向に移動可能となるように係合保持されている。しかも、中間幅木材６は、床側幅木材４と中間幅木材６との間にクッション性を有するチューブ材などによる保持材７が介設されて、床側幅木材４に対して上下両方向に移動可能で、かつ、壁側幅木材５に対して上下両方向に移動可能となるような中間高さ位置に保持されている。なお、この保持材７は、中間幅木材６と壁側幅木材５と間にそれらをジョイントするように介設されてもよい。そして、これら幅木材４，５，６の設置状態において、隙間は生じないように構成されている。
【００２３】
上記の幅木構造では、床側幅木材４と壁側幅木材５のほか、中間幅木材６が備えられているので、この中間幅木材６の採用による作用によって、床側幅木材４と中間幅木材６、及び、壁側幅木材５と中間幅木材６をそれぞれ滑りやすいものにすることができ、幅木３が床１の遮音性能を損なわせるのを防ぐことができる。
【００２４】
即ち、床１が、遮音のため、図２（イ）に示すように下方に変位しようとすると、その動きに追従して、床側幅木材４が下降し、さらにそれに追従するようにして中間幅木材６も自重により下降して、下方への床１の変位動作が許容され、床１の遮音性能が幅木３によって妨げられることはない。
【００２５】
その場合に、仮に、床側幅木材４と中間幅木材６とが接触して滑りにくい状態にあっても、図２（イ）に示すように、床側幅木材４と中間幅木材６とは一体的に下降するので、遮音のための床１の下降変位動作が幅木３によって妨げられることはない。
【００２６】
また、仮に、壁側幅木材５と中間幅木材６とが接触して滑りにくい状態になっている場合は、図２（ロ）に示すように、床側幅木材４と中間幅木材６とが離反方向に相対変位をして、遮音のための床１の下降変位動作が幅木３によって妨げられることはない。
【００２７】
一方、床１が、遮音のため、図３（イ）に示すように上方に変位しようとすると、その動きに追従して、床側幅木材４が上降し、さらにそれに追従するようにして中間幅木材６も上昇して、上方への床１の変位動作が許容され、床１の遮音性能が幅木３によって妨げられることはない。
【００２８】
その場合に、仮に、床側幅木材４と中間幅木材６とが接触して滑りにくい状態にあっても、図３（イ）に示すように、中間幅木材６は床側幅木材４に追従して上昇するので、遮音のための床１の上昇変位動作が幅木３によって妨げられることはない。
【００２９】
また、仮に、壁側幅木材５と中間幅木材６とが接触して滑りにくい状態になっている場合は、図３（ロ）に示すように、床側幅木材４と中間幅木材６とが保持材７を圧潰させながら接近方向に相対変位をして、遮音のための床１の下降変位動作が幅木３によって妨げられることはない。
【００３０】
図４（イ）に示す第２実施形態の幅木構造は、床側幅木材４と壁面２ａとの間に第１ゴム状弾性材８が介設されていると共に、中間幅木材６と壁面２ａとの間にも第２ゴム状弾性材９が介設されているものである。これらのゴム状弾性材８，９は、壁面２ａに対しては、接着されていてもよいし、されていなくてもよい。また、ゴム状弾性材８，９は、施工上等の理由から、図５に示すように、壁側幅木材５や中間幅木材６に対して接着されるのが普通であるが、壁側幅木材５に対しては接着されていなくてもよい。その他は、第１実施形態の幅木構造と同じである。
【００３１】
この構造では、第１実施形態の幅木構造と同様の作用効果が奏されるのみならず、次のような作用効果も奏される。即ち、床側幅木材４が壁面２ａに対して接触状態ないしは押付け状態に施工されているときであっても、床側幅木材４と壁面２ａとの間には第１ゴム状弾性材８が介設されているので、このゴム状弾性材８が変形することによって床側幅木材４が壁面２ａに対して上下方向に変位することができ、それにより、床１の遮音性能が損われるのを防ぐことができる。
【００３２】
また、中間幅木材６が壁面２ａに対して接触状態ないしは押付け状態となっているときであっても、中間幅木材６と壁面２ａとの間に介設された第２ゴム状弾性材９が変形することによって中間幅木材６が壁面に対して上下方向に変位することができ、それによって、床１の遮音性能が損われるのを防ぐことができる。
【００３３】
図４（ロ）に示す第３実施形態の幅木構造は、中間幅木材が省略され、床側幅木材４と壁側幅木材５とで構成されたいわゆる二段幅木についてのもので、床側幅木材４と壁面２ａとの間にゴム状弾性材１０が介設されている。
【００３４】
この構造では、隙間をなくすことができるのはもちろん、床側幅木材４が壁面２ａに対して接触状態ないしは押付け状態に施工されているときであっても、床側幅木材４と壁面２ａとの間に介設されているゴム状弾性材１０が変形することによって床側幅木材４が壁面２ａに対して上下方向に変位することができ、それによって、床１の遮音性能が損われるのを防ぐことができる。
【００３５】
以上に、本発明の実施形態を示したが、本発明はこれに限られるものではなく、発明思想を逸脱しない範囲で各種の変更が可能である。例えば、上記の第１実施形態の構造において、保持材７が省略されてもよい。その場合は、中間幅木材６は自重で床側幅木材４で下から支えられるかたちになろうが、そうであっても、床１の遮音動作中、中間幅木材６の作用によって、床側幅木材４と中間幅木材６が滑りにくくても、壁側幅木材５と中間幅木材６とが滑り、また、壁側幅木材５と中間幅木材６とが滑りにくくても、床側幅木材４と中間幅木材６が滑るというようにして、幅木３が床１の遮音性能を損なわせるのを防ぐことができる。
【００３６】
また、上記の第２実施形態では、床側幅木材４と壁面２ａとの間、及び、中間幅木材６と壁面２ａとの間の両方にゴム状弾性材８，９が介設されている場合を示したが、いずれか一方の間にゴム状弾性材が介設されたものであってもよい。また、壁側幅木材や床側幅木材、中間幅木材の具体的形態に制限はなく、これらは種々の形態をしていてよいし、保持材についても、その形態や、具体的設置場所等に制限はない。更に、中間幅木材を備えた幅木構造において、中間幅木材を二つ以上備えさせ、４段以上の幅木構造に構成するのもよい。
【図面の簡単な説明】
【００３７】
【図１】第１実施形態の幅木構造を示す断面側面図である。
【図２】図（イ）及び図（ロ）はそれぞれ、作動状態を示す断面側面図である。
【図３】図（イ）及び図（ロ）はそれぞれ、他の作動状態を示す断面側面図である。
【図４】図（イ）は第２実施形態の幅木構造を示す断面側面図、図（ロ）は第３実施形態の幅木構造を示す断面側面図である。
【図５】図（イ）及び図（ロ）はそれぞれ、第２実施形態の幅木を分解状態にして示す断面斜視図である。
【符号の説明】
【００３８】
１…遮音床
２…壁
２ａ…壁面
３…幅木
４…床側幅木材
５…壁側幅木材
６…中間幅木材
７…保持材
８…第１ゴム状弾性材（ゴム状弾性体）
９…第２ゴム状弾性材（ゴム状弾性体）
１０…ゴム状弾性材
【図１】
2005105689.tif 000003
【図２】
2005105689.tif 000004
【図３】
2005105689.tif 000005
【図４】
2005105689.tif 000006
【図５】
2005105689.tif 000007